(57)【要約】      （修正有）【課題】鞄と一体にスマートフォン等の電子機器を収容し、周囲の人や物に引っ掛かることなく持ち運びができると共に、収容状態で電子機器の操作が可能な電子機器携帯用鞄を提供する。【解決手段】タッチパネルを備えた電子機器３０を携帯するための電子機器携帯用鞄１０であって、鞄本体１１と、鞄本体の外側の前後面の少なくとも一方に設けられ電子機器の収容が可能な上端１２ｃが開放されたポケット１２とを備え、ポケットは、電子機器を外側より覆う部分１２ｄが透明であり、上端の開放部分が鞄本体の上端１１ｃより下方に位置している。【選択図】図１
0003199516.tif 000002
【実用新案登録請求の範囲】
【請求項１】
タッチパネルを備えた電子機器を携帯するための鞄であって、
鞄本体と、前記鞄本体の外側の前後面の少なくとも一方に設けられ前記電子機器の収容が可能な上端が開放されたポケットとを備え、前記ポケットは、前記電子機器を外側より覆う部分が透明であり、上端の開放部分が前記鞄本体の上端より下方に位置している電子機器携帯用鞄。
【請求項２】
前記ポケットは、縦幅が前記鞄本体の縦幅の６０％以上、９８％以下である請求項１に記載の電子機器携帯用鞄。
【請求項３】
前記ポケットは、横幅が前記鞄本体の横幅の６０％以上、１００％以下である請求項１または２に記載の電子機器携帯用鞄。
【請求項４】
前記ポケットは、上端部に上端の開放部分を閉じた状態に保持する係脱可能な留め具が設けられている請求項１〜３のいずれかに記載の電子機器携帯用鞄。
【考案の詳細な説明】
【技術分野】
【０００１】
本考案は、電子機器携帯用鞄に関し、詳しくは、タッチパネルを備えた電子機器を携帯するための鞄に関するものである。
【背景技術】
【０００２】
近年、タッチパネルを備えたスマートフォンやタブレットなどの電子機器が普及しており、これらは通常、鞄や袋に入れて持ち運びされる。
しかし、これらの電子機器を鞄から取り出す際には鞄の中を覗き込んだり手探りで電子機器を探す必要があり、煩わしさを感じることがある。
このため、特許文献１においては、スマートフォンを収納具に収納し、収納具に設けられたストラップを鞄の持ち手に取り付けて鞄にぶら下げている。このため、鞄の中からスマートフォンを探し出す必要がない。
【先行技術文献】
【特許文献】
【０００３】
【特許文献１】特開２０１３−１４７２６０号公報
【考案の概要】
【考案が解決しようとする課題】
【０００４】
しかし、引用文献１においては、鞄にスマートフォンをぶら下げているため、鞄の持ち運び時にスマートフォンが周囲の人や物に当たったり引っ掛かったりする恐れがある。
【０００５】
本考案は前記問題に鑑みてなされたものであり、鞄と一体にスマートフォン等の電子機器を収容し、持ち運びのできる電子機器携帯用鞄を提供することを課題としている。
【課題を解決するための手段】
【０００６】
本考案による電子機器携帯用鞄は、タッチパネルを備えた電子機器を携帯するための鞄であって、鞄本体と、前記鞄本体の外側の前後面の少なくとも一方に設けられ前記電子機器の収容が可能な上端が開放されたポケットとを備え、前記ポケットは、前記電子機器を外側より覆う部分が透明であり、上端の開放部分が前記鞄本体の上端より下方に位置しているものであり、上記の目的はこの電子機器携帯用鞄により達成される。
【０００７】
上記の構成によれば、鞄本体の外側の前後面の少なくとも一方に電子機器が収容されるポケットが設けられるため、電子機器は鞄本体と一体に収容される。このため、電子機器をポケットに収容して鞄を持ち歩いても、電子機器が周囲の人や物に引っ掛かることがない。
【０００８】
また、電子機器を外側より覆う部分が透明であるため、電子機器のタッチパネル面を外側にしてポケットに収容することにより、ポケットの外側からタッチパネルを視認できメールの着信状態等を確認することができるとともに、ポケットの外側からタッチパネルを操作することができる。このため、タッチパネルの視認や操作のためにポケットから電子機器を取り出す必要がない。
【０００９】
さらに、ポケットの上端の開放部分が鞄本体の上端と同じ高さにある場合には、電子機器を誤って鞄本体に収容してしまうことがあるが、本考案においてはポケットの上端の開放部分が鞄本体の上端より下方に位置しているため、鞄本体の上端部がガイドとなり電子機器をポケットの開放部分まで導くことができるので、電子機器をポケットに確実に収容することができる。
また、ポケットの深さが浅くなるので、電子機器の出し入れが容易となる。
【００１０】
好ましい実施形態においては、前記ポケットは、縦幅が前記鞄本体の縦幅の６０％以上、９８％以下である。
【００１１】
好ましい実施形態においては、前記ポケットは、横幅が前記鞄本体の横幅の６０％以上、１００％以下である。
【００１２】
前記ポケットは、上端部に上端の開放部分を閉じた状態に保持する係脱可能な留め具が設けられていることが好ましい。
【００１３】
例えばホックなど、留め具がポケットの上端の開放部分の一部を閉じた状態とするものである場合には、電子機器の脱落が防止できるうえに、電子機器に接続されたイヤホンのコードを開放部分からポケットの外に出して使用することができる。
また、例えばファスナーなど、留め具がポケットの上端の開放部分全体を閉じた状態とするものである場合には、ポケットに収容した電子機器がポケットから落ちることを確実に防止することができる。
【考案の効果】
【００１４】
本考案によれば、鞄本体の外側の前後面の少なくとも一方に電子機器が収容されるポケットが設けられるため、電子機器は鞄本体と一体に収容される。このため、電子機器をポケットに収容して鞄を持ち歩いても、電子機器が周囲の人や物に引っ掛かることがない。
また、電子機器を外側より覆う部分が透明であるため、電子機器のタッチパネル面を外側にしてポケットに収容することにより、ポケットの外側からタッチパネルを視認できメールの着信状態等を確認することができるとともに、ポケットの外側からタッチパネルを操作することができる。このため、タッチパネルの視認や操作のためにポケットから電子機器を取り出す必要がない。
【図面の簡単な説明】
【００１５】
【図１】本考案の一実施形態に係る電子機器携帯用鞄の正面図である。
【図２】図１のＡ−Ａ線から見た断面図である。
【図３】電子機器携帯用鞄に電子機器を収容する過程を示す斜視図である。
【図４】変形例を示す正面図である。
【図５】他の変形例を示す断面図である。
【考案を実施するための最良の形態】
【００１６】
本考案の実施形態を図面を参照して説明する。
図１〜図３に本考案の一実施形態に係る電子機器携帯用鞄１０を示す。
電子機器携帯用鞄１０はタッチパネルを備えたスマートフォンなどの電子機器３０を携帯するためのものであり、鞄本体１１と、鞄本体１１の外側に設けられ、電子機器３０を収容するポケット１２と、鞄本体１１の上部に取り付けられた持ち手部１３とを備えている。
【００１７】
ポケット１２は本実施形態では鞄本体１１の前面１１１（正面）に設けられているが、鞄本体１１の後面（背面）に設けてもよく、前後両面に設けてもよい。ポケット１２の下端１２ａは鞄本体１１の下端１１ａに合わせて取り付けられ、ポケット１２の両側縁１２ｂ、１２ｂは鞄本体１１の両側縁１１ｂ、１１ｂに合わせて取り付けられている。すなわち、ポケット１２の横幅Ｌ１は鞄本体１１の横幅Ｌ２の１００％である。本実施形態では、ポケット１２の横幅Ｌ１及び鞄本体１１の横幅Ｌ２の長さを１９．５ｃｍとしているが、これに限定されるものではない。ポケット１２の上端部１２ｅには補強布１４が取り付けられており、上端１２ｃは電子機器３０の収容が可能なように開放されている。
ポケット１２の鞄本体１１への取り付けや、補強布１４のポケット１２への取り付けは、例えば、縫い合わせ、接着、溶着で行われるが、これに限定されるものではない。また、ポケット１２の下端１２ａ及び両側縁１２ｂ、１２ｂに、電子機器３０の厚みに対応したマチ部を設けてもよい。
【００１８】
ポケット１２は収容された電子機器３０を外側より覆う部分１２ｄが透明である。本実施形態では無色透明としているが、部分１２ｄの全体または一部が着色されたものであってもよい。また、本実施形態では、ポケット１２の補強布１４以外の部分を透明としており、ポケット１２内で電子機器３０が移動した場合でも電子機器３０は常にポケット１２の透明部分１２ｄに覆われている。しかし、ポケット１２の透明部分１２ｄは少なくとも電子機器３０を覆う部分が透明であればよく、例えばポケット１２の両側部が不透明であってもよい。
【００１９】
ポケット１２の透明部分１２ｄは、ポケット１２の外側から電子機器３０のタッチパネルを視認または操作できる程度に透明な材料から構成されていればよく、材料は、例えば、ポリエチレンテレフタレートやポリ塩化ビニルなどの合成樹脂が用いられる。
【００２０】
ポケット１２の上端１２ｃの開放部分は鞄本体１１の上端１１ｃより下方に位置している。ポケット１２は、縦幅Ｌ３が鞄本体１１の縦幅Ｌ４の６０％以上、９８％以下であり、本実施形態では、鞄本体１１の縦幅Ｌ４の長さを１３．５ｃｍ、ポケット１２の縦幅Ｌ３の長さを１２ｃｍとしており、ポケット１２の縦幅Ｌ３は鞄本体１１の縦幅Ｌ４の約８９％である。鞄本体１１の縦幅Ｌ４の長さとポケット１２の縦幅Ｌ３の長さはこれに限定されず、鞄本体１１の縦幅Ｌ４の長さは７ｃｍ以上、２６ｃｍ以下、ポケット１２の縦幅Ｌ３の長さは６．５ｃｍ以上、２５．４ｃｍ以下であってもよい。
【００２１】
鞄本体１１の縦幅Ｌ４の長さを７ｃｍ、ポケット１２の縦幅Ｌ３の長さを６．５ｃｍとし、鞄本体１１の横幅Ｌ２の長さ及びポケット１２の横幅Ｌ１の長さを１２．５ｃｍとした場合には、ポケット１２の大きさは、電子機器３０であるスマートフォンと略同一の大きさであり、かつポケット１２にスマートフォンを収容可能な大きさである。このため、ポケット１２にスマートフォンを収容した際に、ポケット１２の内部でスマートフォンが大きく移動することがないため、スマートフォンのタッチパネルがポケット１２の透明部分１２ｄから外れることがない。
また、鞄本体１１の縦幅Ｌ４の長さを２６ｃｍ、ポケット１２の縦幅Ｌ３の長さを２５．４ｃｍとし、鞄本体１１の横幅Ｌ２の長さ及びポケット１２の横幅Ｌ１の長さを３７．５ｃｍとした場合には、ポケット１２に電子機器３０であるタブレットが収容可能である。
【００２２】
ポケット１２の上端部１２ｅの横幅方向中央部には、上端１２ｃの開放部分を閉じた状態に保持する係脱可能な留め具１５が設けられている。留め具１５は本実施形態ではホックであり、図２に示すように、凸型のホック金具１５ａがポケット１２の上端部１２ｅの補強布１４の内側に設けられ、凹型のホック金具１５ｂが鞄本体１１の前面１１１の凸型のホック金具１５ａに対向する位置に設けられており、凸型のホック金具１５ａと凹型のホック金具１５ｂとが係合してポケット１２の開放部分が閉じた状態とされる。なお、留め具１５は１箇所に限らず、２箇所に設けてもよい。
【００２３】
また、留め具１５はホックに限定されず、例えば、ポケット１２の上端１２ｃの横幅方向の全長にわたって設けられたファスナーであってもよい。
【００２４】
鞄本体１１には持ち手部１３が設けられており、持ち手部１３を手で持ったり、肩にかけたりして電子機器携帯用鞄１０を携帯することができる。持ち手部１３の長さ方向の途中位置に、持ち手部１３の長さを調整するための調整機構を有していてもよい。
【００２５】
本考案によれば、鞄本体１１の外側の前後面の少なくとも一方に電子機器３０が収容されるポケット１２が設けられるため、電子機器３０は鞄本体１１と一体に収容される。このため、電子機器３０をポケット１２に収容して鞄を持ち歩いても、電子機器３０が周囲の人や物に引っ掛かることがない。
【００２６】
また、電子機器３０を外側より覆う部分１２ｄが透明であるため、電子機器３０のタッチパネル面を外側にしてポケット１２に収容することにより、タッチパネルを外側より視認できるとともに、ポケット１２の外側から操作することができ、タッチパネルの視認や操作のためにポケット１２から電子機器３０を取り出す必要がない。
また、ポケット１２により電子機器３０が覆われているので、電子機器３０を汚れや破損から保護することができる。
【００２７】
また、ポケット１２の上端１２ｃの開放部分が鞄本体１１の上端１１ｃと同じ高さにある場合には、電子機器３０を誤って鞄本体１１に収容してしまうことがあるが、本考案においてはポケット１２の上端１２ｃの開放部分が鞄本体１１の上端１１ｃより下方に位置しているため、鞄本体１１の上端部がガイドとなり電子機器３０をポケット１２の上端１２ｃの開放部分まで導くことで、電子機器３０をポケット１２に確実に収容することができる。さらに、ポケット１２の深さを浅くすれば、電子機器３０の出し入れが容易となる。
【００２８】
図４は図１〜３に示す実施形態の変形例を示す。
図４に示す実施形態においては、ポケット１２の両側縁１２ｂ、１２ｂは鞄本体１１の前面１１１であって、鞄本体１１の両側端１１ｂ、１１ｂから横幅方向中央部寄りの位置に取り付けられるとともに、ポケット１２の下端１２ａは鞄本体１１の前面１１１であって、鞄本体１１の下端１１ａから上方の位置に取り付けられている。
ポケット１２は横幅Ｌ１が鞄本体１１の横幅Ｌ２の６０％以上、１００％未満で、縦幅Ｌ３が鞄本体１１の縦幅Ｌ４の６０％以上、９８％以下であって、ポケット１２の大きさは電子機器３０が収容できる大きさであればよい。
その他の構成については、図１〜図３の実施形態と同様であるため、同一の符号を付して説明を省略する。
【００２９】
上記の構成であっても、鞄本体１１の外側の前後面の少なくとも一方に電子機器３０が収容されるポケット１２が設けられるため、電子機器３０は鞄本体１１と一体に収容される。このため、電子機器３０をポケット１２に収容して鞄を持ち歩いても、電子機器３０が周囲の人や物に引っ掛かることがない。
また、電子機器３０を外側より覆う部分が透明であるため、電子機器３０のタッチパネル面を外側にしてポケット１２に収容することにより、タッチパネルを外側より視認できるとともに、ポケット１２の外側から操作することができ、タッチパネルの確認や操作のためにポケット１２から電子機器３０を取り出す必要がない。
【００３０】
図５は図１〜３に示す実施形態の他の変形例を示す。
図５に示す実施形態においては、鞄本体１１の前面１１１であってポケット１２の上端１２ｃの上方に蓋部１６の一端が取り付けられている。蓋部１６は、ポケット１２の上端部１２ｅを横幅方向の全長にわたって外側から覆うものであり、蓋部１６は横幅方向中央部に設けられたホック金具１７ａ、１７ｂでポケット１２と係脱可能である。ホック金具１７ａ、１７ｂを係止させることで、ポケット１２の上端１２ｃの開放部分が蓋部１２ｅで覆われて閉じた状態が保持される。
その他の構成については、図１〜図３の実施形態と同様であるため、同一の符号を付して説明を省略する。
【００３１】
上記の構成によれば、ポケット１２の上端１２ｃの開放部分が上方から蓋部１６で覆われるため、上端１２ｃから雨水等がポケット１２の内部に侵入するのを防ぐことができる。
【符号の説明】
【００３２】
１０  電子機器携帯用鞄
１１  鞄本体
１１１  鞄本体の前面（正面）
１１ａ  鞄本体の下端
１１ｂ、１１ｂ  鞄本体の両側縁
１１ｃ  鞄本体の上端
１２  ポケット
１２ａ  ポケットの下端
１２ｂ、１２ｂ  ポケットの両側縁
１２ｃ  ポケットの上端
１２ｄ  電子機器を外側より覆う部分
１２ｅ  ポケットの上端部
１４  補強布
１５  留め具
３０  電子機器
Ｌ１  ポケットの横幅
Ｌ２  鞄本体の横幅
Ｌ３  ポケットの縦幅
Ｌ４  鞄本体の縦幅
【図１】
0003199516.tif 000003
【図２】
0003199516.tif 000004
【図３】
0003199516.tif 000005
【図４】
0003199516.tif 000006
【図５】
0003199516.tif 000007